(57)【要約】【課題】      ペットブームの中、人間と同じ病気が増え、特に難病のペットが増えている中、手術後のリハビリを、水中で負担が少ない広範囲に有用な装置、方法を提供する。【解決手段】手術後のペットのリハビリーを効果的に行う為に、プール型の装置を製作し、歩く、走る、暖める、泳ぐ等、種々の体に負担を少なくして、運動及びリハビリが出来る装置を機械的に開発し３種類の方法を組み合わせることにより、リハビリのカリキュラムを適宣に選定でき有用なリハビリを見出すことが出来る、ペットリハビリスパ装置。【選択図】図２
2009131236.tif 000002
【特許請求の範囲】
【請求項１】
底側にトレッドミル装備、該底側にエアーブロアノズル９箇所装備、前側パネル及び左右側パネルは強化ガラス装備、後側パネルはステンレス板を装備し、該後側パネル２箇所にジェットノズル、オーバーフロー及び吸排口を装備し、該後側パネル部側に、ブロアポンプ、循環ろ過装置、殺菌装置、温度制御装置を収納したエンドレスプール及び、循環水を溜める循環水貯蔵タンクとから形成されていることを特徴とするペット用リハビリスパ装置。
【請求項２】
前記該底側のトレッドミル装備において、リハビリの段階に応じて回転ベルトの速度を０から１６ｋｍ間自由に可変でき、ペットの体力に合わせ循環水の水量を自由に調整が可能なことを特徴とする請求項１のペット用リハビリスパ装置。
【請求項３】
前記該底側のバブリング用ノズル装備において、ノズルの上部に孔付プレートを設置し、ペットの大きさに応じて循環水を調整し、ブロアポンプより送られたエアーをノズルで微細泡にし、孔付プレート上のペットに対し循環水をバブリングしながらリハビリすることを特徴とする請求項１のペット用リハビリスパ装置。
【請求項４】
前記該ジェットノズル装備において、ペットの術後の症状に応じて、ノズルの方向、噴流の強さ、微細泡の量を自由に調整しながらリハビリすることを特徴とする請求項１のペット用リハビリスパ装置。
【請求項５】
前記該循環ろ過装置において、バッグフィルター方式、サンドフィルター方式を採用し、循環水のろ過をすることを特徴とする請求項１のペット用リハビリスパ装置。
【請求項６】
前記該殺菌装置において、オゾン殺菌方式を採用し、循環水の殺菌をすることを特徴とする請求項１のペット用リハビリスパ装置。
【請求項７】
前記該温度制御装置において、フランジ型ヒーターとヒーターベッセルを採用し循環水の温度０から３８℃帯をリハビリの目的に合わせて自由に温度調整できることを特徴とする請求項１のペットリハビリスパ装置。
【請求項８】
前記該前側パネル及び該左右側パネルの強化ガラス装備において、リハビリの際、ペットの動きを目視しながらペットにあった、リハビリカリキュラムを組むことを特徴とする請求項１のペット用リハビリスパ装置。
【請求項９】
前記該循環水貯蔵タンクにおいてオゾンガス発生器及び、オゾン混合ノズルを循環水貯蔵タンクに設置し循環させながら、殺菌をすることを特徴とする請求項１のペット用リハビリ装置。
【請求項１０】
前記該オーバフローは、ペットの汚等を取り除き温水を追加させないで循環させることを特徴とする請求項１のペット用リハビリスパ装置。
【発明の詳細な説明】
【技術分野】
【０００１】      本発明は、術後ペットが速やかに回復させるためのリハビリ装置であり、手術に携った関係者が、装置を駆使し、より良い手術方法、リハビリ方法を究明、改善に関するペット用リハビリスパ装置である。
【背景技術】
【０００２】      従来のアクアリハビリ装置は、広い意味では確立されていない為、手術に携った関係者が、退院後のペットの回復状況を把握できない。【０００３】      従来の装置は、装置自体が大きく、大きなリハビリ施設が必要である。
【発明の開示】
【発明が解決しようとする課題】
【０００４】      上記従来の装置は、大きな施設場所がない個人ペット病院、大学等には不向きであり、ペットのリハビリケアが確立されていないのが現状ある。その為、手術をしないで回復させる方法、手術はしたが後の回復データーが取れないという問題点がある。【０００５】      本発明は、従来の装置におけるこのような問題を解決し、手術方法、術後のケア方法をひとつの施設で管理、データーを構築できるよう装置を提供しようとしてなされたものである。
【課題を解決するための手段】  前記課題を解決するために、本発明は下記のペット用リハビリスパ装置を提供する。【０００６】（１）リハビリスパ装置下部に、リハビリ用電動トレッドミルを装備し、速度、時間の調整が出来、循環水を注入調整することで、水の抵抗により体力に応じてリハビリトレーニングが出来、水中歩行訓練効果、肥満防止効果、運動不足効果等のケアのためのセクション部です。その側部にバブリングノズルを９個配置し、その上部に多孔付プレートを配置し、その面部にペットを載せ循環水を注入調整し、ブロアポンプよりエアーを供給し、バブリングノズルから微細気泡を発生させ、バブリング量の調整をし、マッサージ効果、緊張を解きほぐす効果、内臓の働きを活発する効果、皮膚病ケアする効果等のセクション部を設け。更に、上部側面に２個のジェットノズルを配置し、強力な水流、微細気泡等の量調整、及び水流の方向が自在に変えられ、手術後のリハビリエンドレスプールとしてペットに負担を掛けることなく、血行促進効果、筋力アップ効果等のセクション部がある。この３パターンのセクション部を、ひとつの装置でリハビリが出来ることを特徴とするペット用リハビリスパ装置（請求項１から４の発明）。【０００７】（２）前記ペット用リハビリスパ装置における循環水ろ過装置において、ヘアーキャッチャー、ろ過ポンプ、バックフィルター、サンドフィルター、電気ヒーターを配置し、ろ過ポンプ１基で、電磁３方向弁を使用して３パターンのセクション部及び、循環水貯蔵タンクに循環水を供給する構造とする（請求項５の発明）。【０００８】（３）前記ペット用リハビリスパ装置における循環水貯蔵タンクにおいて、タンク側面上部にオゾン発生ノズルを設置し、ペット用リハビリスパ装置が使用していない時は、循環水貯蔵タンクに循環水を戻し、ろ過ポンプで貯蔵タンクのみ循環させ、オゾン発生器よりオゾンガスをオゾン発生ノズルに送り、循環水と混合し殺菌をする構造とする（請求項６の発明）（請求項９の発明）。【０００９】（４）前記ペット用リハビリスパ装置における循環水温度制御装置において、フランジ型ヒーターとヒーターセンサーをヒーターベッセルに設置し循環水が循環する際のみ温度センサーが働き循環水の温度をコントロールする構造とする（請求項７の発明）。【０００９】（５）前記ペット用リハビリスパ装置における前側パネル及び、左右側パネルの強化ガラス装備において、運動、リハビリの際ペットの様々な状態を目視で観察し、ベストのリハビリを受ける為の構造とする（請求項８の発明）。【００１０】（６）前記ペット用リハビリスパ装置は強化ガラス部、機械、配管以外は全てＳＵＳ３０４使用し表面部の磨きは、４００メッシュ加工仕上げとする（請求項１の発明）。【００１１】（７）前記ブロアポンプはリングブロアを使用し全てリモコンで遠隔機能操作が出来きる構造とする（請求項１の発明）。【００１２】（８）前記ブロアポンプにおいて、バブルの強さを、強、中、弱の３段階で噴射の強さが出来き表示する構造とする（請求項１の発明）。【００１３】（９）前記ブロアポンプにおいて、補足機能として、タイマー機能を設け１０分、１５分、２０分、２５分、３０分の５段階で時間設定、表���の構造とする（請求項１の発明）。【００１４】（１０）前記ブロアポンプにおいて、補足機能として、保温機能を設け湯冷めを防止する為の、機能構造とする（請求項１の発明）。【００１５】（１１）前記ブロアポンプにおいて、プログラム機能を儲け、バブルの強さ、タイマー設定、保温設定をプロミングが出来る構造とする（請求項１の発明）。【００１６】（１２）前記電動トレッドミルにおいて、速度０から１６Ｋｍ／分を可変でき、制御盤にスピード表示画面を装備している構造とする（請求項２の発明）【００１７】（１３）前記電動トレッドミルにおいて、０から９９９Ｋｃａｌの表示を制御盤にカロリー表示画面を装備している構造とする（請求項２の発明）。【００１８】（１４）前記電動トレッドミルおいて０から９９．５９分の表示を制御盤に運動時間表示面を装備している構造とする（請求項２の発明）。【００１９】（１５）前記電動トレッドミルにおいて、心拍数を制御盤に心拍表示画面を装備している構造とする（請求項２の発明）。【００２０】（１６）前記電動トレッドミルにおいて、０から９．９９９ｋｍまでの距離表示を制御盤に距離表示画面を装備している構造とする（請求項２の発明）。【００２１】（１７）前記電動トレッドミルにおいて、セーフティキーを制御盤に設け、リハビリ中危険があった際、回転ベルトが自動的に止まる構造とする（請求項２の発明）。【００２２】（１８）前記バブリング用ノズルにおいて、ノズルの孔径５Φ、２Φの２種類を重ね合せ気泡の大きさの調整が出来る構造とする（請求項３の発明）。【００２３】（１９）前記ジェットノズルにおいて、オリフィス微細気泡発生方式で気泡量の調整が出来る構造とする（請求項４の発明）。【００２４】（２０）前記ジェットノズルにおいて、ジェット水流の方向を０から５０度の範囲で自在に方向が変えられる構造とする（請求項４の発明）。【００２５】（２１）前記循環ろ過装置において、バッグフィルターを使用し、バッグエレメントは１００％ポリプロピレン繊維で、１μまでの粒子を９９％除去できる構造とする（請求項５の発明）。【００２６】（２２）前記循環ろ過装置において、サンドフィルターを使用し、ろ過砂は０．６ｍｍの大きさを使用し、２０から４０μまでの粒子を９９％除去できる構造とする（請求項５の発明）。【００２７】（２３）前記オゾン殺菌装置において、プラズマ方式を使用し、０から２００ｍｇｌのオゾン発生量を可変出来る構造とする（請求項６の発明）【００２８】（２４）前記温度制御装置において、フランジ型ヒーターを使用し、０から３８℃までの温度帯を可変出来る構造とする（請求項７の発明）。【００２９】（２５）前記温度制御装置において、フランジ型ヒーター取り付け用のヒーターベッセルを使用し循環水の温度を上げることが出来る構造とする（請求項７の発明）。【００３０】（２６）前記強化ガラス装備において、透明度の高い１０ｍｍの厚さの強化ガラスを使用しペットの動作を観察することが出来る構造とする（請求項８の発明）【００３１】（２７）前記オゾン混合ノズルにおいて、気液二相流方式ノズルを使用し、オゾンガスを循環水圧により吸入混合が出来る構造とする（請求項９の発明）【００３２】（２８��前記オーバーフロー方式において、ジェットノズル使用の循環水をオーバーフロー方式で循環水を溜め、循環出来る構造とする（請求項１０の発明）
【発明の効果】以上説明したように、本発明によれば、ペットを一台のリハビリ装置で３パターンの方法でリハビリが出来、温度を変えることで、各々のペットの症状に合せ、より良いリハビ
2009131236.tif 000003
循環水の気泡の大きさ、気泡の量、気泡の圧力、泡と水の混合量、泡と水の混合圧力気泡の大きさ等が、自在にコントロールが出来、手術方法、リハビリ方法を、より良い手法、手段が画一され、ペットを速やかに回復させられる画期的な装置である。【００３３】本発明は、ペットとして買われている犬、猫等を全てリハビリ対象が出来る、安心、安全で、衛生的な装置である。【００３４】電動トレッドミル方式は、三番目に行うリハビリ方法でペットの歩行訓練用に発明され、運動不足、肥満、術後の体力アップ等に適用、循環水を注入することで水の抵抗で、より良いペットの回復を促す。その際、脈拍数確認しながらリハビリをおこなう。
循環水の温度２２℃が最適。【００３５】エアーバブリング方式は、一般にジャグジースパと呼ばれ、気泡の破裂する原理を利用し、イオン効果、洗浄効果、癒し効果、マッサージ効果、緊張を解きほぐす効果、内臓の働きを活発にする効果、皮膚病ケアする効果、殺菌効果等、リハビリの一番目に行うリハビリ方法である。その際、脈拍数確認が必要。循環水の温度３８℃が最適。【００３６】ジェットバブル方式は、エンドレスプール方式を採り入れジェット水流を用い、手術後のペットの回復用に発明され、歩行が困難なペット、一部機能不具合があるペット等に行うリハビリ方式で、ペットを遊泳させることで、泳いでいく方向、回転する方向、を見極めることで、外見で見破れない不具合を早期発見できる。二番目に行うリハビリ方法。その際、脈拍数確認しながらリハビリを行う。循環水の温度２８℃が最適。【００３７】循環水貯蔵タンク方式は、一日数頭、数匹のペットリハビリを行う為、その都度、水を交換しなければならない課題がある。時間等のロスが大きい。連続でリハビリが出来る良い方法で、循環水を連続循環ろ過させながら、温度調整、殺菌が出来、より多くのペットリハビリ療法が促進できる。【００３８】次に、請求項１の特徴をなす部分の作用について説明する。【００３９】
2009131236.tif 000004
一貫してペットに於ける症状を、外見からでは発見できない症状も、いち早く発見でき早期治療を受けることが出来る。【００４０】［請求項２のペット用リハビリスパ装置］
前記該底側のトレッドミル装備において、リハビリの段階に応じて回転ベルトの速度を０から１６ｋｍ間自由に可変でき、ペットの体力に合わせ循環水の水量を自由に調整が可能である。脈拍から体力、気力のデーターが採れ、いち早くベストの体調に戻すことが出来る。【００４１】［請求項３のペット用リハビリスパ装置］
前記該底側のバブリング用ノズル装備において、ノズルの上部に孔付プレートを設置し、ペットの大きさに応じて循環水を調整し、ブロアポンプより送られたエアーをノズルで微細泡にし、孔付プレート上のペットに対し循環水をバブリングしながらリハビリする。初めて治療を受けるペットに対し、アクア治療をする為に、精神的、肉体的に慣らすことができる。【００４２】［請求項４のペット用リハビリスパ装置］
前記該ジェットノズル装備において、ペットの術後の症状に応じて、ノズルの方向、噴流の強さ、微細泡の量を自由に調整しながらリハビリすることが出来、ペットの外見からでは症状が発見出来にくい症状も発見できる。ペットを遊泳させてリハビリさせる為ペット自身に負担を掛けず治療が受け、回復が早まる。【００４３】［請求項５のペット用リハビリスパ装置］
前記該循環ろ過装置において、バッグフィルター方式、サンドフィルター方式を採用し、循環水のろ過をすることで、循環水を長持ちさせられ、水の交換頻度も少なくより多くのペットの治療に当たれる時間を持つメリットがある。【００４４】［請求項６のペット用リハビリスパ装置］
前記該殺菌装置において、オゾンガス殺菌方式を採用し、循環水の殺菌をすることで、塩素殺菌よりも安全で、赤外線殺菌よりも、短時間で完全殺菌が出来るため、皮膚病、感染病の発生を抑えられる。【００４５】［請求項７のペット用リハビリスパ装置］
前記該温度制御装置において、フランジ型ヒーターとヒーターベッセルを採用し循環水の温度０から３８℃帯をリハビリの目的に合わせて自由に調整できるため、ペットの症状に併せて温度を変え、ベストの治療が出来る。【００４６】［請求項８のペット用リハビリスパ装置］
前記該前側パネル及び該左右側パネルの強化ガラス装備において、リハビリの際、ペットの動きを目視しながらペットに合ったリハビリカリキュラムを組むことが出来、ペットに負担を掛けずより良い治療が出来る。【００４７】［請求項９のペット用リハビリスパ装置］
前記該循環水貯蔵タンクにおいてオゾンガス発生器及び、オゾン混合ノズルを循環水貯蔵タンクに設置し循環させながら、殺菌をすることで、循環水の完全殺菌が、短時間で出来、安全なリハビリを行うことが出来る。【００４８】［請求項１０のペット用リハビリスパ装置］
前記該オーバフローは、ペットの汚等を取り除き温水を追加させないで循環させることができ、無駄を省き衛生的な循環水を循環させることが出来、衛生上必要であり、ペットの治療を安心して行える。
【発明を実施するための最良の形態】
【００４９】次に、本発明の実施の形態を添付図面に従って説明する。【００５０】図１は、ジェットプールの側面図、図２は、ジェットプールの上面図及びフロー図である。符号▲１０▼は、循環水貯蔵タンクである。符号▲１１▼は、該循環水貯蔵タンク用ドレンで、循環水としての機能が不可の場合排出する為に設けてある。符号▲１０▼該循環水貯蔵タンクより、貯蔵されている循環水を符号▲８▼の該三方弁を通り、符号▲３▼の該ヘアーキャッチャーでペットの毛を排除し、符号▲４▼の該循環ポンプから、符号▲５▼の該サンドフィルター及び符号▲６▼の該バッグフィルター、符号▲７▼の該電気ヒーター、符号▲８▼の三方弁を通り、符号▲２▼の該ジェットノズルより循環水をプール内に符号▲１▼のオーバフローの位置まで、循環水を入れる。【００５１】符号▲１▼の該オーバフローから配管で符号▲８▼の該三方弁を通り符号▲３▼の該ヘアーキャッチャーでペットの毛を排除し、符号▲４▼の該循環ポンプから、符号▲５▼の該サンドフィルター及び符号▲６▼の該バッグフィルター、符号▲７▼の該電気ヒーター、符号▲８▼の該三方弁を通り符号▲２▼の該ジェットノズルより循環水を噴出させ、ペットのリハビリーの間、循環水を循環させる。【００５２】図３は、バブリングプールの側面図、図４は、バブリングプールの上面図及びフロー図。符号▲１０▼は、循環水貯蔵タンクである。符号▲１１▼は、該循環水貯蔵タンク用ドレンで、循環水としての機能が不可の場合排出する為に設けてある。符号▲１０▼該循環水貯蔵タンクより、貯蔵されている循環水を符号▲８▼の該三方弁を通り、符号▲３▼の該ヘアーキャッチャーでペットの毛を排除し、符号▲４▼の該循環ポンプから、符号▲５▼の該サンドフィルター及び符号▲６▼の該バッグフィルター、符号▲７▼の該電気ヒーター、符号▲８▼の三方弁を通り、符号▲１３▼の注入口より循環水をプール内に注入し、ペットが符号▲１６▼の該多孔プレートの上に乗せ、ペットの首の位置まで循環水を入れる。【００５３】符号▲１４▼の吸入口から配管で符号▲８▼の該三方弁を通り符号▲３▼の該ヘアーキャッチャーでペットの毛を排除し、符号▲４▼の該循環ポンプから、符号▲５▼の該サンドフィルター及び符号▲６▼の該バッグフィルター、符号▲７▼の該電気ヒーター、符号▲８▼の該三方弁を通り符号▲１３▼の該注入口より循環水を注入させ、ペットのリハビリの間、循環水を循環させる。【００５４】符号▲１２▼の該ブロアポンプより配管にて、エアーを送り、符号▲１５▼の該バブリングノズル９個よりエアーを、ペットのリハビリの間、エアーブローさせる。【００５５】図５は、トレッドプールの側面図、図６は、トレッドプールの上面図及びフロー図。
符号▲１０▼は、循環水貯蔵タンクである。符号▲１１▼は、該循環水貯蔵タンク用ドレンで、循環水としての機能が不可の場合排出する為に設けてある。符号▲１０▼該循環水貯蔵タンクより、貯蔵されている循環水を符号▲８▼の該三方弁を通り、符号▲３▼の該ヘアーキャッチャーでペットの毛を排除し、符号▲４▼の該循環ポンプから、符号▲５▼の該サンドフィルター及び符号▲６▼の該バッグフィルター、符号▲７▼の該電気ヒーター、符号▲８▼の三方弁を通り、符号▲１３▼の注入口より循環水をプール内に注入し、ペットが符号▲１７▼の該電動トレッドミル上に乗せ、ペットの腹の下位置まで循環水を入れる。【００５６】符号▲１４▼の吸入口から配管で符号▲８▼の該三方弁を通り符号▲３▼の該ヘアーキャッチャーでペットの毛を排除し、符号▲４▼の該循環ポンプから、符号▲５▼の該サンドフィルター及び符号▲６▼の該バッグフィルター、符号▲７▼の該電気ヒーター、符号▲８▼の該三方弁を通り符号▲１３▼の該注入口より循環水を注入させ、ペットのリハビリーの間、循環水を循環させる。
【発明の効果】
【００５７】以上説明したように、本発明によれば、ペットのリハビリカリキュラムに於いて、歩く為のリハビリ運動、足に負担を掛けない為の泳ぐリハビリ運動、筋力アップ、体力アップ、血行促進アップ等の効果がある。また、循環水をプールに注入の際は微細気泡発生方式を採用している為、表面的、内面的にも癒され、回復が早いく、オゾン殺菌を採用している為、殺菌、脱臭等にも、効果がある。
【産業上の利用可能性】
【００６７】ペット業界に於いて、ペットショップ、アロマセラピー、ペット病院に於いての利用価値がある。特に、大学の獣医学部に於いては、難手術後のリハビリーデーターを採る為には、特に利用価値がある。
【図面の簡単な説明】
【図１】本発明によるジェットプールの側面図である。
【図２】ジェットプールの上面図及びフロー図である。
【図３】バブリングプールの側面図である。
【図４】バブリングプールの上面図及びフロー図である。
【図５】トレッドプールの側面図である。
【図６】トレッドプールの上面図及びフロー図である。
【符号の説明】
▲１▼    オーバーフロー
▲２▼    ジェットノズル
▲３▼    ヘアーキャッチャー
▲４▼    ろ過ポンプ
▲５▼    サンドフィルター
▲６▼    バッグフィルター
▲７▼    電気ヒーター
▲８▼    三方弁
▲９▼    オゾン発生装置
▲１０▼  循環水貯蔵タンク
▲１１▼  循環水貯蔵タンクドレン
▲１２▼  ブロアポンプ
▲１３▼  注入口
▲１４▼  排出口
▲１５▼  バブリングノズル
▲１６▼  多孔プレート
▲１７▼  トレッドミル
【図１】
2009131236.tif 000005
【図２】
2009131236.tif 000006
【図３】
2009131236.tif 000007
【図４】
2009131236.tif 000008
【図５】
2009131236.tif 000009
【図６】
2009131236.tif 000010